(57)【特許請求の範囲】
【請求項１】
制御信号を送受信できるデジタル伝送媒体を介して、外部出力装置に再生映像信号及び再生音声信号の何れかを供給する再生装置であって、
音声出力手段と、
前記再生装置に付属し、前記再生装置を操作する操作手段と、
前記再生装置を操作する時の効果音データを生成する効果音生成手段と、
前記デジタル伝送媒体を介して前記外部出力装置から受信する制御信号、及び前記操作手段の操作に従い、前記再生装置を制御する制御手段であって、前記外部出力装置からの前記制御信号の受信に応じて、前記制御信号に応じた効果音データを前記効果音生成手段に生成させて前記デジタル伝送媒体を介して前記外部出力装置に送信し、前記操作手段による操作に対して、前記操作に応じた効果音データを前記効果音生成手段に生成させて前記音声出力手段に供給する制御手段
とを有することを特徴とする再生装置。
【請求項２】
前記効果音生成手段は、複数の効果音データを生成できることを特徴とする請求項１に記載の再生装置。
【請求項３】
再生装置と、当該再生装置から供給される再生映像信号及び再生音声信号の何れかを出力する出力装置とからなり、デジタル伝送媒体で相互に接続する再生システムであって、
前記出力装置は、
音声出力手段と、
付属操作装置からの操作信号を受信し、前記デジタル伝送媒体を介して前記再生装置に転送する手段
とを有し、
前記再生装置は、
前記デジタル伝送媒体に接続し、制御信号を送受信でき、前記再生映像信号及び前記再生音声信号の何れかを送信する送受信手段と、
スピーカと、
前記再生装置に付属し、前記再生装置を操作する操作手段と、
前記再生装置を操作する時の効果音データを生成する効果音生成手段と、
前記デジタル伝送媒体を介して前記出力装置から受信する制御信号、及び前記操作手段の操作に従い、前記再生装置を制御する制御手段であって、前記出力装置からの前記制御信号の受信に応じて、前記制御信号に応じた効果音データを前記効果音生成手段に生成させて前記デジタル伝送媒体を介して前記出力装置に送信し、前記操作手段による操作に対して、前記操作に応じた効果音データを前記効果音生成手段に生成させて前記スピーカに供給する制御手段
とを有することを特徴とする再生システム。
【発明の詳細な説明】
【技術分野】
【０００１】
本発明は、再生装置及びシステムに関し、より具体的には、再生装置、及び、当該再生装置とその再生信号を出力する出力装置とからなる再生システムに関する。
【背景技術】
【０００２】
【先行技術文献】
【非特許文献】
【０００３】
【非特許文献１】High-Definition Multimedia Interface Specification Version 1.3a
【０００４】
近年、デジタル映像音声データを伝送するＨＤＭＩ（High-Definition Multimedia Interface）規格が普及してきている。（非特許文献１）。ＨＤＭＩはデジタルテレビのような表示装置と、デジタルビデオカメラ（以下、ビデオカメラと略す）のような映像再生装置との接続に用いられ、高品位なデジタル映像を伝送できる。
【０００５】
また、ＨＤＭＩ規格ではＣＥＣ（Consumer Electronics Control）と呼ばれる機器制御信号と制御プロトコルが規格化されており、映像データの伝送のみならず、ＨＤＭＩケーブルで接続されている機器の制御も可能である。ＣＥＣでは、定義された制御コマンドを組み合わせることで、テレビとビデオカメラの間で相互に制御を行うことができる。例えば、テレビのリモコンでビデオカメラの映像出力を開始させたり、ビデオカメラからテレビの電源を制御することが可能である。また、テレビ画面にビデオカメラの映像を表示させながらテレビのリモコンのボタンを押すと、テレビからビデオカメラにＣＥＣコマンドを送信させることができる。この機能を使って、ユーザは、テレビのリモコンでビデオカメラを遠隔操作できる。
【発明の概要】
【発明が解決しようとする課題】
【０００６】
多くのビデオカメラは、本体の操作部を操作した場合、所定の操作に対して操作音や警告音等の効果音を出力するようになっている。このようなビデオカメラを、ＨＤＭＩケーブルで接続したテレビのリモコンで遠隔操作する場合、ユーザは、テレビの前に位置し、ビデオカメラから離れていることが多い。そのような状況で、遠隔操作に対してビデオカメラが効果音を出力しても、ユーザの耳に入らないことが多く、操作性が良くない。
【０００７】
本発明は、このような不都合を解消する再生装置及びシステムを提示することを目的とする。
【課題を解決するための手段】
【０００８】
本発明に係る再生装置は、制御信号を送受信できるデジタル伝送媒体を介して、外部出力装置に再生映像信号及び再生音声信号の何れかを供給する再生装置であって、音声出力手段と、前記再生装置に付属し、前記再生装置を操作する操作手段と、前記再生装置を操作する時の効果音データを生成する効果音生成手段と、前記デジタル伝送媒体を介して前記外部出力装置から受信する制御信号、及び前記操作手段の操作に従い、前記再生装置を制御する制御手段であって、前記外部出力装置からの前記制御信号の受信に応じて、前記制御信号に応じた効果音データを前記効果音生成手段に生成させて前記デジタル伝送媒体を介して前記外部出力装置に送信し、前記操作手段による操作に対して、前記操作に応じた効果音データを前記効果音生成手段に生成させて前記音声出力手段に供給する制御手段とを有することを特徴とする。
【０００９】
本発明に係る再生システムは、再生装置と、当該再生装置から供給される再生映像信号及び再生音声信号の何れかを出力する出力装置とからなり、デジタル伝送媒体で相互に接続する再生システムであって、前記出力装置は、音声出力手段と、付属操作装置からの操作信号を受信し、前記デジタル伝送媒体を介して前記再生装置に転送する手段とを有し、前記再生装置は、前記デジタル伝送媒体に接続し、制御信号を送受信でき、前記再生映像信号及び前記再生音声信号の何れかを送信する送受信手段と、スピーカと、前記再生装置に付属し、前記再生装置を操作する操作手段と、前記再生装置を操作する時の効果音データを生成する効果音生成手段と、前記デジタル伝送媒体を介して前記出力装置から受信する制御信号、及び前記操作手段の操作に従い、前記再生装置を制御する制御手段であって、前記出力装置からの前記制御信号の受信に応じて、前記制御信号に応じた効果音データを前記効果音生成手段に生成させて前記デジタル伝送媒体を介して前記出力装置に送信し、前記操作手段による操作に対して、前記操作に応じた効果音データを前記効果音生成手段に生成させて前記スピーカに供給する制御手段とを有することを特徴とする。
【発明の効果】
【００１０】
本発明によれば、再生装置に保存されている映像等をテレビ等の出力装置から出力するとき、ユーザが操作した機器から操作に応じた効果音を出力するので、わかりやすく自然な操作性を提供できる。
【図面の簡単な説明】
【００１１】
【図１】本発明の一実施例のシステム構成図である。
【図２】ビデオカメラの概略構成ブロック図である。
【図３】テレビの概略構成ブロック図である。
【図４】ビデオカメラの効果音の出力先設定表である。
【図５】テレビのリモコンでビデオカメラを操作する場合の動作シーケンスである。
【図６】ビデオカメラの操作手段で操作する場合の動作シーケンスである。
【図７】テレビのリモコンでビデオカメラを操作する場合の説明例である。
【図８】テレビのリモコンでビデオカメラを操作する場合の次の説明例である。
【図９】チャプタ２の再生例である。
【図１０】ビデオカメラの操作手段で操作する場合の説明例である。
【発明を実施するための形態】
【００１２】
以下、図面を参照して、本発明の実施例を詳細に説明する。ただし、以下に説明する実施例の構成は例示であり、本発明の技術的範囲は、実施例に限定されない。
【実施例】
【００１３】
図１は、本発明に係る再生システムの一実施例の接続図である。デジタルビデオカメラ１０（以下、「ビデオカメラ」と表記する）をデジタルテレビ６０（以下、「テレビ」と表記する）にＨＤＭＩケーブル５０で接続している。ビデオカメラ１０は再生装置であり、テレビは、ビデオカメラ１０からの再生映像信号及び再生音声信号を出力する外部出力装置である。ＨＤＭＩケーブル５０は映像信号、音声信号及び制御信号を伝送可能なデジタル伝送媒体の一例である。ビデオカメラ１０は、ＨＤＭＩケーブル５０を介して映像信号と音声信号をテレビ６０に出力する。ＨＤＭＩ規格準拠のＣＥＣコマンドを使用することで、ビデオカメラ１０とテレビ６０は双方向制御をすることが可能である。また、リモコン９６は、電波や赤外線等の無線通信手段によってテレビ６０に種々の制御信号を送信出来る、テレビ６０に付属する付属操作手段である。
【００１４】
図２は、ビデオカメラ１０の概略構成ブロック図を示す。ビデオカメラ制御部１２は、操作部１４からの操作命令及び動作状態に従い、ビデオカメラ１０における動作の全てを統括的に制御する。操作部１４は電源スイッチ、メニュー画面操作キーなどのユーザインターフェースからなる。ビデオカメラ制御部１２は、ビデオカメラ１０を制御する際のワーク領域としてメモリ１６を利用する。メニュー画面で設定する撮像モード時や再生モード時の設定情報などはメモリ１６に記録される。映像データ及び音声データを記録するメモリカード１８は、メモリカード挿入部２０に挿入することで、インターフェース２２に接続する。バッテリ挿入部２４に電源となるバッテリを接続出来る。
【００１５】
レンズ２６は、被写体の光学像を撮像素子２８上に入射し、撮像素子２８は入射光学像を画像信号に変換する。カメラ信号処理部３０は、撮像素子２８からのアナログ画像信号をデジタル信号に変換し、映像／音声処理部３２へ出力する。
【００１６】
映像／音声処理部３２は、カメラ信号処理部３０からの映像データ、及び図示しない音声入力手段からの音声データを圧縮符号化し、インターフェース２２を介してメモリカード１８に書き込む。映像／音声処理部３２はまた、必要により、カメラ信号処理部３０からの映像データを液晶表示装置（ＬＣＤ）３４に供給し、音声データをスピーカ３６に供給する。
【００１７】
映像／音声処理部３２は、再生モードでは、インターフェース２２を介してメモリカード１８内の映像データや音声データを読み出すことができる。そして、メモリカード上での映像データ及び音声データは、一般に圧縮符号化されている。映像／音声処理部３２は、メモリカード１８から読み出した圧縮データをデコードし、映像データをＬＣＤ３４に、音声データをスピーカ３６に供給する。
【００１８】
映像／音声処理部３２は、映像データ及び／又は音声データをＨＤＭＩ信号処理部３８にも出力できる。ＨＤＭＩ信号処理部３８は、映像信号処理部４０、音声信号処理部４２、制御信号処理部４４及びＨＤＭＩ送受信部４６を有する。ＨＤＭＩ信号処理部３８は、ＨＤＭＩケーブル５０を介して外部機器に映像データ及び音声データを出力でき、制御コマンドを双方向に通信できるデジタルインターフェースである。
【００１９】
効果音生成部４８は、ビデオカメラ制御部１２からの指示に従い，ユーザ操作に対する操作音や警告音等の効果音を生成し、映像／音声処理部３２に供給する。すなわち、効果音生成部４８は複数の効果音データを記憶しており、ビデオカメラ制御部１２から指示された効果音データを出力する。映像／音声処理部３２は、効果音生成部４８からの効果音データを、ビデオカメラ制御部１２の指示に従い、スピーカ３６に出力するか、又は、他の音声データと重畳して音声信号処理部４２に出力する。
【００２０】
図３は、テレビ６０の概略構成ブロック図を示す。テレビ６０は、デジタル放送信号を受信して映像や音声を再生する機能と、ＨＤＭＩケーブル５０を利用して外部から入力された映像や音声を再生する機能を有する。
【００２１】
テレビ６０は、テレビ制御部６２、メモリ６４、操作部６６、リモコン受信部６８、音声再生部７０、映像表示部７２、セレクタ７４、デジタル放送信号処理部７６及びＨＤＭＩ信号処理部７８を有する。デジタル放送信号処理部７６は、チューナ８０、信号解析部８２、映像デコード部８４及び音声デコード部８６を有する。ＨＤＭＩ信号処理部７８は、ＨＤＭＩ送受信部８８、映像信号処理部９０、音声信号処理部９２及び制御信号処理部９４を有する。ＨＤＭＩ信号処理部７８は、映像信号及び音声信号を受信でき、制御信号を送受信できるデジタルインターフェースである。
【００２２】
映像表示部７２は、テレビ放送や外部機器から受信する映像やメニュー画面を表示する。リモコン受信部６８は、リモコン９６から送られる赤外線情報を受信する。ユーザは、リモコン９６を使用してテレビ６０を操作することができる。リモコン９６はまた、ビデオカメラ１０に対する映像出力指示、及び、ビデオカメラ１０のメニュー選択や基本的操作の指示をテレビ６０に向けて発信できる。
【００２３】
テレビ６０のデジタル放送信号の処理系を説明する。アンテナ９８によって受信されたデジタル放送信号がチューナ８０に供給される。チューナ８０は、ユーザによって選局されたチャンネルの信号を受信デジタル放送信号から抽出し、信号解析部８２に送出する。信号解析部８２は、チューナ８０からの放送信号から圧縮映像データと圧縮音声データを分離し、それぞれ映像デコード部８４及び音声デコード部８６に出力する。映像デコード部８４は、圧縮映像データをデコードし、映像表示部７２で表示可能な形式の映像信号をセレクタ７４に供給する。音声デコード部８６は、圧縮音声データをデコードし、音声再生部７０で音響出力可能な形式の音声信号をセレクタ７４に出力する。
【００２４】
ビデオカメラ１０がテレビ６０にＨＤＭＩケーブル５０で接続されると、ＥＤＩＤ（Extended Display Identification）による相互機器認証が行われる。このとき、ビデオカメラ１０にはテレビ６０の解像度が伝えられる。ビデオカメラ１０は、この解像度情報に基づき、最適な解像度で映像信号を出力するように設定される。
【００２５】
ビデオカメラ１０は、テレビ６０とＨＤＭＩ接続することで、映像及び音声信号の出力と、機器間の双方向制御が可能になる。ここで出力する映像信号は、テレビ６０の解像度に合わせて生成できる。すなわち、映像信号処理部４０と音声信号処理部４２は、それぞれ送られてきた映像データと音声データをＨＤＭＩ規格に準拠するデータ形式に変換し、ＨＤＭＩ送受信部４６を介してテレビ６０に出力する。制御信号処理部４４は、ＨＤＭＩ規格に準拠するＣＥＣなどの制御信号をテレビ６０との間で送受信する。ＣＥＣは、標準コマンドとして規定されているコマンドの他に、メーカー独自のベンダーコマンドも含む。
【００２６】
テレビ６０は、ＨＤＭＩ信号を次のように処理する。すなわち、ＨＤＭＩ送受信部８８は、ＨＤＭＩケーブル５０を通して外部ＨＤＭＩ機器から送信されたＨＤＭＩ信号を解析する。ＨＤＭＩ送受信部８８は、解析結果に従い、ＨＤＭＩ信号の映像信号を映像信号処理部９０に、音声信号を音声信号処理部９２に、制御信号を制御信号処理部９４にそれぞれ供給する。映像信号処理部９０及び音声信号処理部９２はそれぞれ、映像信号及び音声信号の信号処理並びに増幅などの処理を実行し、セレクタ７４に供給する。制御信号処理部９４は、機器間認証となるＥＤＩＤデータ及び双方向制御のためのＣＥＣコマンドを解析する。
【００２７】
セレクタ７４は、テレビ制御部６２による制御の下で、デジタル放送信号処理部７６又はＨＤＭＩ信号処理部７８から供給される信号を選択し、映像表示部７２及び音声再生部７０に出力する。
【００２８】
テレビ制御部６２は、操作部６６またはリモコン９６からの操作命令やシステム設定命令に従い、テレビ６０における全動作を統括的に制御する。メモリ６４は、テレビ制御部６２がテレビ６０を制御する際のワーク領域として利用される。リモコン受信部６８は、リモコン９６からの赤外信号を受信し、受信信号をテレビ制御部６２に供給する。
【００２９】
本実施例では、ユーザがリモコン９６によりビデオカメラ１０を操作してビデオカメラ１０からテレビ６０に映像音声信号を出力させた場合、操作補助用の効果音をテレビ６０から出力させる。また、ユーザがビデオカメラ１０の操作部１４でビデオカメラ１０からテレビ６０に映像音声信号を出力させた場合、ビデオカメラ１０のスピーカ３６から効果音を出力させる。すなわち、操作手段の直接的な操作対象又は操作信号を最初に受け付ける装置（リモコン９６に対するテレビ６０、操作部１４に対するビデオカメラ）から効果音を出力させることで、自然な操作性を提供する。
【００３０】
最終的な操作対象となるビデオカメラ１０が、ユーザ操作補助用効果音の出力先を切り替える動作を説明する。
【００３１】
図４は、ビデオカメラ１０における効果音出力先の設定表である。ユーザはこの設定表を、ビデオカメラ１０のＬＣＤ３４で確認し、操作部１４で設定する。これによって、ビデオカメラ１０とテレビ６０がＨＤＭＩケーブル５０で接続されたとき、効果音の出力先を設定できる。設定表に置ける外部機器は、この実施例ではテレビ６０を示す。図４に示す設定では、ビデオカメラ１０の操作部１４を使用するときにはビデオカメラ１０を効果音出力先とし、テレビ６０のリモコン９６を使用するときにはテレビ６０を効果音出力先とする。操作手段と効果音出力先との対応は、テレビ６０のリモコン９６によっても、変更出来る。
【００３２】
図５は、テレビ６０のリモコン９６を使ってビデオカメラ１０を操作する場合の動作シーケンスである。図７、図８及び図９は、対応する状態の模式図である。ここでは、ビデオカメラ１０とテレビ６０はＨＤＭＩ接続時の機器間認証などの設定を既に完了しているものとする。
【００３３】
ユーザは、リモコン９６を操作してビデオカメラ１０の映像・音声を表示・出力するようにテレビ６０に指示する（Ｓ１）。テレビ制御部６２はリモコン受信部６８の受信信号に従い制御信号処理部９４にＣＥＣコマンドを生成させ、ＨＤＭＩ送受信部８８を介してビデオカメラ１０に送信する（Ｓ２）。
【００３４】
ビデオカメラ１０の制御信号処理部４４は、テレビ６０からのＣＥＣコマンドを解析し、解析結果（ここでは映像一覧画面の表示要求）をビデオカメラ制御部１２に送信する。ビデオカメラ制御部１２は、効果音生成部４８に、要求に応じた効果音データを映像／音声処理部３２に出力させる。映像／音声処理部３２は、メモリカード１８の記録映像を一覧する一覧画面の映像信号を生成する。映像／音声処理部３２は、生成した映像信号を映像信号処理部４０に供給する。映像／音声処理部３２はまた、音声信号（存在する場合）に効果音生成部４８からの効果音データを重畳して音声信号処理部４２に供給する（Ｓ３）。ＨＤＭＩ送受信部４６は、映像信号処理部４０からの映像信号及び音声信号処理部４２からの音声信号を、ＨＤＭＩケーブル５０を介してテレビ６０に送信する（Ｓ４）。
【００３５】
テレビ６０は、ビデオカメラ１０からの映像信号が示す一覧画像を映像表示部７２に表示し、音声信号（存在する場合）と効果音を音声再生部７０から音響出力する（Ｓ５）。このときの様子を図７に示す。テレビ６０は、ビデオカメラ１０からの６つ動画のチャプタが示す一覧画像を表示し、効果音を音声再生部７０から出力する。
【００３６】
ユーザがリモコン９６の操作パネル７０１を操作すると、テレビ６０の画面には、次に操作できるボタンの操作ガイド７０２が表示される。図７に示す例では、チャプタ１が選択されている状態である。
【００３７】
ユーザは、チャプタ２を再生させたいとき、操作パネル７０１のうち右キーを押す（Ｓ６）。これにより、先に説明したのと同様の手順で、この場合、テレビ６０は、右キー押下を示す操作信号をビデオカメラ１０に供給する（Ｓ７）。
【００３８】
ビデオカメラ１０は、テレビ６０からの右キー押下の操作信号に応じて、右キー押下に対応する効果音を、テレビに出力させる音声信号に重畳させる（Ｓ８）。そして、ビデオカメラ１０は、右キー押下に対応する画面の映像信号と、重畳音声信号をテレビ６０に出力する（Ｓ９）。これにより、図８に示すように、テレビ６０は、チャプタ２が選択された状態を示す画像を表示し、右キー押下に対応する効果音を含む音声を出力する（Ｓ１０）。
【００３９】
この状態で、ユーザが、チャプタ２を再生するためにリモコン９６の操作パネル７０１の決定キーを押したとする（Ｓ１１）。この場合、上述したのと同様に、決定キーの押下を示す操作信号が、テレビ６０からビデオカメラ１０に転送される（Ｓ１２）。この決定キーの押下には、効果音が設定されていないとする。ビデオカメラ１０は、チャプタ２の映像信号と音声信号をテレビ６０に出力する（Ｓ１３）。テレビ６０は、図９に示すように、チャプタ２の映像信号を受信して画像表示し、音声を出力する（Ｓ１４）。テレビ画面には、ビデオカメラ１０から送信した現在の操作ガイドが表示されており、ユーザはこれらの操作キーを押したとき、対応する効果音をテレビから聴くことになる。つまり、ビデオカメラ１０で生成された効果音をテレビ６０で聴くことができる。
【００４０】
図６は、ビデオカメラ１０の操作部１４を使う場合の動作シーケンスである。図６は、図５のときと同様に、ビデオカメラ１０に保存されている動画一覧をテレビ６０に表示させた後、その中のチャプタ２を選択して再生するまでの動作シーケンスを示す。図１０は、再生状況を説明する模式図を示す。ここでも、ビデオカメラ１０とテレビ６０は、ＨＤＭＩ接続時の機器間認証などの設定をすでに完了しているものとする。
【００４１】
ユーザは、ビデオカメラ１０の操作部１４を操作して映像表示を指示する（Ｓ２１）。これを受けて、映像／音声処理部３２は、対応する映像信号と音声信号（存在する場合）をテレビ６０に出力する（Ｓ２２）。また、ビデオカメラ制御部１２は、操作部１４からの映像・音声出力要求に対して、対応する効果音を効果音生成部４８に出力させ、映像／音声処理部３２からスピーカ３６に出力させる（Ｓ２３）。テレビ６０はユーザ操作で指示された画像と音声を出力する（Ｓ２４）。
【００４２】
ユーザがチャプタ２を選択するために操作部１４のうち右キーを押したとする（Ｓ５）。ビデオカメラ１０は、右キー押下の操作に応じて、チャプタ２を選択した状態を示す一覧画面の映像信号と、音声信号（存在する場合）をテレビ６０に出力する（Ｓ２６）。同時に、ビデオカメラ１０は、効果音生成部４８及び映像／音声処理部３２に指示して、右キー押下の操作に応じた効果音をスピーカ３６から出力させる（Ｓ２７）。これによって、テレビ６０は、チャプタ２を選択した状態の一覧画像を映像表示部７２に表示し、音声信号（存在する場合）を音声再生部７０から音響出力する（Ｓ２８）。
【００４３】
ユーザがチャプタ２を再生するために操作部１４の決定キーを押したとする（Ｓ２９）。決定キーの押下には、対応する効果音が設定されていないとする。この場合、ビデオカメラ１０は、スピーカ３６から何の効果音も出力をしない。他方、ビデオカメラ１０は、チャプタ２の映像信号と音声信号をテレビ６０に出力する（Ｓ３０）。テレビ６０は、チャプタ２の再生映像を映像表示部７２に表示し、再生音声信号を音声再生部７０から音響出力する（Ｓ３１）。図１０は、このときの再生状態の模式図を示す。
【００４４】
ビデオカメラ１０の操作１４の操作に対して、ビデオカメラ１０のスピーカ３６から効果音（ここでは操作音）を出力するので、ビデオカメラ１０を操作するユーザは、わかりやすく自然な操作性を感じることができる。
【００４５】
上記実施例では、ビデオカメラ１０とテレビ６０の接続手段にＨＤＭＩを利用しているが、映像や音声の送信と制御コマンドの送受信を可能な接続手段を利用できる。また、双方向制御コマンドとしてＣＥＣを例示したが、その他の双方向制御コマンドも利用出来る。
【００４６】
映像表示装置としてデジタルテレビを例に説明したが、アナログ放送も受信可能なデジタルテレビやＰＣモニタなどの他の映像表示装置にも適用できる。
【図１】
0005448779.tif 000002
【図２】
0005448779.tif 000003
【図３】
0005448779.tif 000004
【図４】
0005448779.tif 000005
【図５】
0005448779.tif 000006
【図６】
0005448779.tif 000007
【図７】
0005448779.tif 000008
【図８】
0005448779.tif 000009
【図９】
0005448779.tif 000010
【図１０】
0005448779.tif 000011